(57)【要約】【課題】空転摩耗が阻止されるかまたは少なくとも減少させられ、これによって、締付けころ型ワンウェイクラッチの寿命が高められ、さらに、駆動運転への切換時の衝突負荷が回避されるものの、この場合、駆動運転への切換が、規定された駆動回転数への到達に左右されないようにする。【解決手段】締付けころ８が、ワンウェイクラッチ軸線に対して同心的な弾性的に拡張可能な防護リング２０によって取り囲まれており、空転運転中のアウタレース６による防護リング２０の回動連行を阻止する手段２４が設けられているようにした。【選択図】図２
2010043740.tif 000002
【特許請求の範囲】
【請求項１】
締付けころ型ワンウェイクラッチ（２）であって、インナレース（４）と、アウタレース（６）と、両レース（４，６）の間に配置された締付けころ（８）とが設けられており、該締付けころ（８）が、それぞれインナレース（４）の外周面に形成された締付け斜面（１２）と協働するようになっている形式のものにおいて、締付けころ（８）が、ワンウェイクラッチ軸線に対して同心的な弾性的に拡張可能な防護リング（２０）によって取り囲まれており、空転運転中のアウタレース（６）による防護リング（２０）の回動連行を阻止する手段（２４）が設けられていることを特徴とする、締付けころ型ワンウェイクラッチ。
【請求項２】
防護リング（２０）が、スリットを備えたリングとして形成されている、請求項１記載の締付けころ型ワンウェイクラッチ。
【請求項３】
防護リング（２０）に保持突起（２４）が形成されており、該保持突起（２４）が、締付けころ（８）に当て付けられている、請求項１または２記載の締付けころ型ワンウェイクラッチ。
【請求項４】
防護リング（２０）が、弾性的な帯材から成っている、請求項１から３までのいずれか１項記載の締付けころ型ワンウェイクラッチ。
【請求項５】
防護リング（２０）が、締付けころ（８）の軸方向の長さにほぼ相当する幅を有している、請求項４記載の締付けころ型ワンウェイクラッチ。
【請求項６】
防護リング（２０）の少なくとも一方の側縁部に帯材面から切断加工された保持突起（２４）が、半径方向内向きに折り曲げられている、請求項４または５記載の締付けころ型ワンウェイクラッチ。
【請求項７】
防護リング（２０）の両側縁部に、それぞれ各締付けころ（８）に対応配置された保持突起（２４）が形成されている、請求項６記載の締付けころ型ワンウェイクラッチ。
【請求項８】
防護リング（２０）が、ばね鋼材料から形成されている、請求項１から７までのいずれか１項記載の締付けころ型ワンウェイクラッチ。
【請求項９】
締付けころをガイドするための保持器が設けられており、保持突起（２４）が、保持器縁曲げ部（３０，３２）に軸方向でガイドされている、請求項６から８までのいずれか１項記載の締付けころ型ワンウェイクラッチ。
【請求項１０】
インナレース（４）が、当該締付けころ型ワンウェイクラッチ（２）に対して同軸的な転がり軸受け（２８）に対する軌道を同時に有している、請求項１から９までのいずれか１項記載の締付けころ型ワンウェイクラッチ。
【発明の詳細な説明】
【技術分野】
【０００１】
本発明は、締付けころ型ワンウェイクラッチであって、インナレースと、アウタレースと、両レースの間に配置された締付けころとが設けられており、該締付けころが、それぞれインナレースの外周面に形成された締付け斜面と協働するようになっている形式のものに関する。
【背景技術】
【０００２】
締付けころ型ワンウェイクラッチは、一般的に締付け体型ワンウェイクラッチと呼ばれるワンウェイクラッチ装置の特別態様を成している。締付けころ型ワンウェイクラッチは、たとえばオーバランニングクラッチとして使用される。このオーバランニングクラッチは、たとえばパワートレーンの、当初駆動される分枝が、パワートレーンの、駆動する部材を追い越す場合に、パワートレーンの、当初駆動される分枝を切り離す。別の使用事例は、リバースロックとしてのこのような形式のワンウェイクラッチに見られる。全ての締付け体型ワンウェイクラッチの機能原理は、一方の駆動方向で締付け体が楔作用し、これによって、インナレースとアウタレースとの間に摩擦接続的な結合が形成されるのに対して、他方の駆動方向では楔作用が解消され、これによって、インナレースがアウタレースから分離されることである。
【０００３】
基本的には、インナレースに形成された締付け斜面（内側星状部）を備えた締付けころ型ワンウェイクラッチまたはアウタレースに形成された締付け斜面を備えた締付けころ型ワンウェイクラッチが区別される。この場合、駆動は、一般的に、締付け斜面を有するリングを介して導入される。前者の締付けころ型ワンウェイクラッチは後者の締付けころ型ワンウェイクラッチに比べて、締付けころに作用する遠心力が締付け効果、すなわち、アウタレースに対する当付けを助成するという利点を有しているのに対して、後者の締付けころ型ワンウェイクラッチでは、遠心力が締付け効果に抗して作用する。この理由から、オーバランニングクラッチとして使用される締付けころ型ワンウェイクラッチは、通常、内側星状部を備えて形成される。空転運転中のインナレースの回転数がより高い場合には、締付けころが遠心力によってアウタレースに向かって押圧され、これによって、締付けころとアウタレースとの間に摩擦力が生ぜしめられる。
【０００４】
構造上の難点は、締付けころにその締付け位置の方向でプリロードをかける締付けばねの最適な設計にある。この締付けばねも同じく締付けころをアウタレースに圧着する。締付けばねが過度に強いと、追越し運転中にアウタレースが締付けころに擦り接触する。このことは、締付けころの摩耗に繋がる。これに対して、締付けばねが過度に弱いと、締付けころが追越し運転中にアウタレースによって駆動される。これによって、摩耗が、インナレースに設けられた締付け斜面もしくは締付けばねに変位させられる。いわゆる「空転摩耗」は、締付け斜面角の増加ひいてはワンウェイクラッチのスリップ安全性の低下を招く。さらに、追越し運転中の締付けころの回転運動は、対応配置された斜面に対する個々の締付けころの位置が変化させられ、これによって、駆動運転へのワンウェイクラッチの切換時に、締付けころが過負荷されることにも繋がり得る。その結果、斜面の塑性変形および斜面の乗越えすら生ぜしめられる。
【０００５】
ドイツ連邦共和国実用新案第１７０６４４８号明細書に基づき、すでに冒頭で述べた形式の締付けころ型ワンウェイクラッチが公知である。この公知の締付けころ型ワンウェイクラッチでは、締付けころが、空転時にもしくは追越し位置で、全ての締付けころに巻き掛かるばね弾性的な引張り機構によって楔面星状部に向かって引っ張られ、これによって、締付けころが、締付けレースと呼ばれるアウタレースに接触しない、すなわち、アウタレースから完全に離反させられている。これによって、この運転状態で接線方向力がアウタレースから締付けころに伝達されず、これによって、すでにインナレースとアウタレースとの同期時に駆動運転への切換が行われず、インナレースの設定された回転数で初めて行われる。この回転数では、締付けころが遠心力によって初期締付け位置に調節される。この初期締付け位置は、その後、締付けころの楔作用に繋がる。
【先行技術文献】
【特許文献】
【０００６】
【特許文献１】ドイツ連邦共和国実用新案第１７０６４４８号明細書
【発明の概要】
【発明が解決しようとする課題】
【０００７】
本発明の課題は、冒頭で述べた形式の締付けころ型ワンウェイクラッチを改良して、空転摩耗が阻止されるかまたは少なくとも減少させられ、これによって、締付けころ型ワンウェイクラッチの寿命が高められ、さらに、駆動運転への切換時の衝突負荷が回避されるものの、この場合、駆動運転への切換が、規定された駆動回転数への到達に左右されないようにすることである。
【課題を解決するための手段】
【０００８】
この課題を解決するために本発明の構成では、締付けころが、ワンウェイクラッチ軸線に対して同心的な弾性的に拡張可能な防護リングによって取り囲まれており、空転運転中のアウタレースによる防護リングの回動連行を阻止する手段が設けられているようにした。
【０００９】
本発明の有利な構成によれば、防護リングが、スリットを備えたリングとして形成されている。
【００１０】
本発明の有利な構成によれば、防護リングに保持突起が形成されており、該保持突起が、締付けころに当て付けられている。
【００１１】
本発明の有利な構成によれば、防護リングが、弾性的な帯材から成っている。
【００１２】
本発明の有利な構成によれば、防護リングが、締付けころの軸方向の長さにほぼ相当する幅を有している。
【００１３】
本発明の有利な構成によれば、防護リングの少なくとも一方の側縁部に帯材面から切断加工された保持突起が、半径方向内向きに折り曲げられている。
【００１４】
本発明の有利な構成によれば、防護リングの両側縁部に、それぞれ各締付けころに対応配置された保持突起が形成されている。
【００１５】
本発明の有利な構成によれば、防護リングが、ばね鋼材料から形成されている。
【００１６】
本発明の有利な構成によれば、締付けころをガイドするための保持器が設けられており、保持突起が、保持器縁曲げ部に軸方向でガイドされている。
【００１７】
本発明の有利な構成によれば、インナレースが、当該締付けころ型ワンウェイクラッチに対して同軸的な転がり軸受けに対する軌道を同時に有している。
【発明の効果】
【００１８】
本発明の根底には、詳しく上述した技術的な問題が、アウタレースと締付けころとの間の直接的な接触によって生ぜしめられるという認識がある。この接触は、締付けころが回動しない場合には、この締付けころの摩耗を生ぜしめるかもしくはころが回動する場合には、締付け斜面もしくは締付けばねの摩耗を生ぜしめる。
【００１９】
したがって、請求項１の特徴によれば、本発明は、締付けころ型ワンウェイクラッチであって、インナレースと、アウタレースと、両レースの間に配置された締付けころとが設けられており、これらの締付けころが、それぞれインナレースの外周面に形成された締付け斜面と協働するようになっている形式のものから出発する。この場合、本発明によれば、締付けころが、ワンウェイクラッチ軸線に対して同心的な弾性的に拡張可能な防護リングによって取り囲まれており、少なくともインナレースの空転方向への防護リングの回動連行を生ぜしめる手段が設けられていることが提案されている。
【００２０】
締付けころを取り囲む防護リングは、有利には、締付けころとアウタレースとの間の直接的な接触を阻止する。駆動運転時には、締付けころが、駆動するインナレースの締付け斜面と、弾性的に拡張可能な防護リングとの間に楔作用し、この防護リングをアウタレースの内周面に押圧し、アウタレースを摩擦接続的な結合を介して連行する。
【００２１】
空転運転中には、締付け斜面と防護リングとの間の締付けころの楔作用が解消されている。しかし、防護リングは、回動連行のための手段を介してインナレースの空転方向に連行される。この場合、防護リングはアウタレースに対して滑り運動を実施する。こうして、アウタレースが締付けころに擦り接触し得ず、もはや締付けころを回動させ得ない。これによって、締付けころまたは締付け斜面の摩耗が回避される。さらに、個々の締付けころがアウタレースによる連行に基づき種々異なる位置に調節されることが排除されており、これによって、駆動運転への移行時の衝突負荷も回避される。
【００２２】
本発明の構成によれば、防護リングが、スリットを備えたリングとして形成されている。このリングによって、弾性的な拡張ひいてはアウタレースに対する摩擦接続的な当付けが可能となる。
【００２３】
本発明の有利な構成によれば、防護リングの回動連行のための手段として、それぞれ防護リングに形成された保持突起が働く。この保持突起は締付けころに当て付けられている。
【００２４】
防護リングの特に有利な設計上の構成は、防護リングが弾性的な帯材から形成されていることを提案している。この帯材は、たとえば僅かなプリロードによってアウタレースの内周面に当て付けられるように予備成形されている。
【００２５】
防護リングは、有利には、締付けころの軸方向の長さにほぼ相当する幅を有しており、これによって、防護リングが締付けころを完全にカバーしていて、締付けころの締付け力を全ころ長さにわたって伝達する。
【００２６】
本発明の有利な設計上の構成によれば、防護リングの少なくとも一方の側縁部、しかし、有利には両側縁部に帯材面から切断加工された保持突起が半径方向内向きに折り曲げられており、これによって、この保持突起がインナレースの空転方向で締付けころに当て付けられており、これによって、すでに詳しく上述したように、防護リングがインナレースに対して相対回動不能となる。
【００２７】
防護リングに用いられる材料として、たとえばばね鋼材料が提案されている。このばね鋼材料は、アウタレースの孔よりも大きな直径を備えてロール成形され、これによって、防護リングが僅かなプリロードでアウタレースの内周面に当て付けられる。
【００２８】
上述した保持突起は、有利には締付けころ型ワンウェイクラッチの保持器縁曲げ部に軸方向でガイドされ、これによって、防護リングが軸方向に位置決めされている。
【００２９】
自体公知であるように、インナレースは、締付けころ型ワンウェイクラッチに対して同軸的な転がり軸受けに対する軌道を同時に有しており、これによって、締付けころ型ワンウェイクラッチが最適にセンタリングされている。
【図面の簡単な説明】
【００３０】
【図１】インナレースに形成された締付け斜面を備えた慣用の締付けころ型ワンウェイクラッチの部分横断面図である。
【図２】ほぼ図１によるものの、本発明による防護リングを備えた締付けころ型ワンウェイクラッチを示す図である。
【図３】防護リングを備えた締付けころ型ワンウェイクラッチの斜視的な部分平面図である。
【発明を実施するための形態】
【００３１】
以下に、本発明を実施するための形態を図面につき詳しく説明する。
【００３２】
図１に横断面図で示した慣用の締付けころ型ワンウェイクラッチ２のセグメントは、主として、インナレース４と、アウタレース６と、インナレースとアウタレースとの間に配置された、インナレース４の全周にわたって分配された締付けころ８とを有している。これらの締付けころ８は、たとえば保持器１０にガイドされている。図１に認めることができるように、締付けころ８は、それぞれ１つの締付け斜面１２に対応配置されている。この場合、この締付け斜面１２は、インナレース４とアウタレース６との間の環状ギャップが、それぞれ矢印１４の方向に狭幅になるように形成されている。締付けころ８には、対応配置されたワンウェイクラッチばね１６によって締付け方向、すなわち、矢印１４の方向に僅かにプリロードがかけられており、これによって、締付けころ８が常に締付け斜面１２とアウタレース６の内周面１８とに接触している。
【００３３】
たとえば駆動するリングとして働くインナレース４がアウタレース６に対して相対的に、矢印１４と逆方向の駆動方向に回動させられると、締付けころ８がインナレース４とアウタレース６との間に楔作用し、このアウタレース６を摩擦接続を介して連行する（駆動運転）。インナレース４が矢印１４の方向に回動させられる（かまたはアウタレース６がインナレース４を追い越す）と、締付けころ８の楔作用が解消され（空転運転）、これによって、インナレース４とアウタレース６との間の相対回動が生ぜしめられ得る。
【００３４】
すでに詳しく前述したように、空転運転中には、ワンウェイクラッチばね１６が過度に強いと、アウタレース６が締付けころ８に擦り接触する危険がある。これに対して、ばねが過度に弱いと、締付けころ８がアウタレース６によって駆動される。これによって、摩耗が締付け斜面１２もしくはワンウェイクラッチばね１６に変位させられる。さらに、締付けころの駆動は、個々のころが締付け斜面１２に対する位置を僅かに変化させることに繋がり得る。この場合、駆動運転への切換時に、締付けころが過負荷され、その結果、締付け斜面１２が塑性変形させられる危険があるかかまたは締付けころ８によって乗り越えられる危険すらある。
【００３５】
図２には、図１のアッセンブリにほぼ相当しているものの、本発明による改善を伴った締付けころ型ワンウェイクラッチが示してある。この場合、同じ部材には、同じ符号が付してある。
【００３６】
締付けころ８とアウタレース６の内周面１８との間には、締付けころ８を取り囲む防護リング２０が配置されている。この防護リング２０はスリット２２を備えており、これによって、防護リング２０が直径可変に形成されている。特に図３に認めることができるように、防護リング２０の側縁部には、保持突起２４が切断加工されていて、半径方向内向きに折り曲げられている。この保持突起２４は締付けころ８に当て付けられており、防護リング２０によって、空転運転中にアウタレース６による連行が防止される。
【００３７】
本発明による締付けころ型ワンウェイクラッチの機能は以下の通りである。駆動運転中には、締付けころ８が、図１につき説明した形式で締付け斜面１２と防護リング２０との間に楔作用され、この防護リング２０を摩擦接続的にアウタレース６の内周面１８に圧着し、これによって、アウタレース６が連行される。空転運転中には、締付けころ８の締付けが解消され、これによって、アウタレース６がインナレース４に対して矢印２６の方向に回動させられ得る。防護リング２０に設けられた保持突起２４によって、一緒に回動することが防止される。すなわち、防護リング２０とアウタレース６との間に滑り運動が生ぜしめられる。これによって、ワンウェイクラッチばね１６の設計に左右されることなく、アウタレース６が締付けころ８に擦り接触し得ないかもしくは締付けころ８を回動させ得ないことが確保され、これによって、締付けころ８、締付け斜面１２および／またはワンウェイクラッチばね１６の摩耗が減少させられるかもしくは阻止される。さらに、個々の締付けころ８が締付け斜面１２に対する位置を変化させず、ひいては、駆動運転への移行時に過負荷されないことが確保される。
【００３８】
図３には、アウタレースなしの締付けころ型ワンウェイクラッチのセグメントが斜視図で示してある。インナレース４と、締付けころ８と、この締付けころ８を取り囲む、直径可変を可能にするスリット２２を備えた防護リング２０と、アウタレースによる連行を阻止する保持突起２４とが認められる。
【００３９】
図３にさらに認めることができるように、締付けころ型ワンウェイクラッチには、ころ軸受けとして形成された同軸的な転がり軸受け２８が対応配置されている。この転がり軸受け２８によって、締付けころ型ワンウェイクラッチが正確にセンタリングされる。保持突起はインナレース４の保持器縁曲げ部３０，３２に内部で接触しており、これによって、防護リング２０が軸方向に位置決めされている。
【符号の説明】
【００４０】
２  締付けころ型ワンウェイクラッチ
４  インナレース
６  アウタレース
８  締付けころ
１０  保持器
１２  締付け斜面
１４  矢印
１６  ワンウェイクラッチばね
１８  内周面
２０  防護リング
２２  スリット
２４  保持突起
２６  矢印
２８  転がり軸受け
３０  保持器縁曲げ部
３２  保持器縁曲げ部
【図１】
2010043740.tif 000003
【図２】
2010043740.tif 000004
【図３】
2010043740.tif 000005